(57)【要約】【課題】誤ったタイミング遅延の算出を防ぐことが可能な、無線通信装置及びタイミング推定方法を提供する。【解決手段】本発明に係る無線通信装置1は、通信相手から受信した参照シンボル、又は、オフセットした参照シンボルを選択する選択部203と、選択部が選択した参照シンボルと、受信した参照シンボルに関する既知情報との相関データを求める相関演算部205と、相関データのピークとピーク閾値とを比較する比較部207と、ピークに基づき、通信相手との同期状態からのタイミング差を算出するタイミング算出部209と、を備え、比較部は、ピークがピーク閾値以下である場合に、選択部に参照シンボルの再選択を指示し、選択部は、初回選択時には受信した参照シンボルを選択し、再選択時には、オフセットされた参照シンボルを選択し、比較部は、再選択された参照シンボルに関する相関データのピークがピーク閾値より高い場合に、タイミング算出部にタイミング差の算出を指示する。【選択図】図１
2010278663.tif 000002
【特許請求の範囲】
【請求項１】
通信相手とのタイミング推定を行うマルチキャリア無線通信方式に対応した無線通信装置であって、
前記通信相手から受信した参照シンボル、又は、前記参照シンボルをオフセットした参照シンボルのいずれか一方を選択する選択部と、
前記選択部が選択した参照シンボルと、前記受信した参照シンボルに関する既知情報との相関データを求める相関演算部と、
前記相関データのピークとピーク閾値とを比較する比較部と、
前記ピークに基づき、前記通信相手との同期状態からのタイミング差を算出するタイミング算出部と、を備え、
前記比較部は、前記ピークが前記ピーク閾値以下である場合に、前記選択部に参照シンボルの再選択を指示し、
前記選択部は、初回選択時には前記受信した参照シンボルを選択し、前記再選択時には、前記オフセットされた参照シンボルを選択し、
前記比較部は、再選択された参照シンボルに関する相関データのピークが前記ピーク閾値より高い場合に、前記タイミング算出部に前記タイミング差の算出を指示する、
無線通信装置。
【請求項２】
前記タイミング算出部は、前記再選択された参照シンボルに関する相関データのピークに基づくタイミング差が、タイミング閾値より高い場合に、前記選択部に参照シンボルの再選択を指示する、請求項１に記載の無線通信装置。
【請求項３】
マルチキャリア無線通信方式に対応した通信相手とのタイミング推定方法であって、
前記通信相手から受信した参照シンボル、又は、前記参照シンボルをオフセットした参照シンボルのいずれか一方を選択する選択ステップと、
前記選択ステップにおいて選択された参照シンボルと、前記受信した参照シンボルに関する既知情報との相関データを求める相関演算ステップと、
前記相関データのピークとピーク閾値とを比較する比較ステップと、
前記ピークに基づき、前記通信相手との同期状態からのタイミング差を算出するタイミング算出ステップと、を有し、
前記比較ステップは、前記ピークが前記ピーク閾値以下である場合に、前記選択ステップによる参照シンボルの再選択を行うステップを含み、
前記選択ステップは、初回選択時には前記受信した参照シンボルを選択し、前記再選択時には、前記オフセットされた参照シンボルを選択し、
前記比較ステップは、再選択された参照シンボルに関する相関データのピークが前記ピーク閾値より高い場合に、前記タイミング算出ステップによる前記タイミング差の算出を行うステップを含む、
タイミング推定方法。
【請求項４】
前記タイミング算出ステップは、前記再選択された参照シンボルに関する相関データのピークに基づくタイミング差が、タイミング閾値より高い場合に、前記選択ステップによる参照シンボルの再選択を行うステップを含む、請求項３に記載のタイミング推定方法。
【発明の詳細な説明】
【技術分野】
【０００１】
この発明は、無線通信装置及びタイミング推定方法に関し、特に、マルチキャリア無線通信方式に対応した無線通信装置及びマルチキャリア無線通信方式におけるタイミング推定方法に関する。
【背景技術】
【０００２】
ＯＦＤＭ（Orthogonal Frequency Division Multiplexing：直交周波数分割多重）及びＯＦＤＭＡ（Orthogonal Frequency Division Multiplex Access：直交周波数分割多元接続）方式等のマルチキャリア無線通信方式では、シンボル間干渉（ＩＳＩ）が通信品質に大きな影響を与える。例えば、基地局がガードインターバル（ＧＩ）長時間より遅延したデータを受信した場合、当該遅延データはシンボル間干渉を引き起こすため、基地局が受信する無線信号の受信特性は劣化する。また、基地局が複数の無線通信端末と通信している場合には、基地局と各無線通信端末との間の通信遅延差によってシンボル間干渉が発生し、基地局と各無線通信端末との通信が困難になる場合がある。
【０００３】
そのため、マルチキャリア無線通信方式では、基地局は、無線通信端末との間で周期的なレンジング（伝播遅延時間、及び伝播遅延時間に基づく距離の測定）などを行うことにより、伝播遅延を考慮した、基地局及び無線通信端末間のタイミング同期（シンボル同期）を行う。これ以降、当該タイミング同期のために、基地局が、基地局（受信側）及び無線通信端末（送信側）間の理想的な同期状態からの時間的な差分（以降、「タイミング遅延」と言う。）を求めることを、「タイミング推定」と称する。
【０００４】
例えば、次世代ＰＨＳシステムでは、基地局は、無線通信端末からのタイミングコレクトチャネル（ＴＣＣＨ）に含まれるレンジング信号や、上り制御情報チャネル（ＡＮＣＨ）に含まれる参照シンボル（トレーニングシンボルなど）を用いて、タイミング推定を行うことができる。この場合、まず、基地局は、無線通信端末から実際に受信した参照シンボル（受信参照シンボル）と、基地局が保持している当該参照シンボルの既知情報（理想参照シンボル）との相関を計算することにより、基地局と無線通信端末との間のタイミング遅延を算出する。次いで、基地局は、算出したタイミング遅延を無線通信端末に通知する。無線通信端末は、受信したタイミング遅延に基づいて、自端末が送信するデータを基地局が理想的なタイミングで受信できるように（即ち、シンボル間干渉などが発生しないように）、自端末の送信タイミングを補正する。このようにして、基地局と無線通信端末との間のタイミング同期は行われる（例えば、特許文献１参照）。
【０００５】
図５及び図６を参照して従来のタイミング推定方法について具体的に説明する。図５は従来の基地局のタイミング推定部の概略構成を示す図であり、図６は従来の基地局によるタイミング推定方法を示すフローチャートである。
【０００６】
従来の基地局は、まず、受信信号に対してガードインターバルの除去や、ＦＦＴ処理を行う。次に、基地局では、受信信号から抽出した参照シンボル（受信参照シンボル）と、基地局が保持している当該参照シンボルの既知情報、即ち理想的な参照シンボル情報（理想参照シンボル）とが乗算され、当該乗算結果はＩＦＦＴ部５０に入力される。ＩＦＦＴ部５０は、受信参照シンボルと理想参照シンボルの複素共役との乗算結果を逆フーリエ変換して複素インパルス応答を求め、当該複素インパルス応答を相関演算部５１に入力する（ステップＳ５０１）。相関演算部５１は、ＩＦＦＴ部５０からの複素インパルス応答を二乗演算し、受信参照シンボルと理想参照シンボルとの相関を示す電力信号（相関データ）を生成し、当該相関データをピーク検出部５２に入力する（ステップＳ５０２）。ピーク検出部５２は、当該相関データのピークを検出し（ステップＳ５０３）、次いで、タイミング算出部５３は、当該ピークから基地局と無線通信端末との間のタイミング遅延を算出する（ステップＳ５０４）。
【０００７】
例えば、基地局と無線通信端末とが適切に同期されている場合、理想的には、無線通信端末からの受信参照シンボルと基地局が保持する理想参照シンボルとの相関データに、高い（例えば、相関値が０．６以上）ピークが存在することになる。図７は、高いピークを有する相関データの一例を示す図である。図７のように、相関データが所定の時刻（ｔ０）に高いピークを有する場合、タイミング算出部５３は、基地局と無線通信端末との間のタイミング遅延が、ゼロであると判断する。即ち、基地局は、タイミング推定によって、自局（基地局）と無線通信端末とが適切に同期されていると判断することができる。
【０００８】
また、例えば、基地局と無線通信端末とが適切に同期されていない場合、無線通信端末からの受信参照シンボルと基地局が保持する理想参照シンボルとの相関データには、高いピークが存在しないことになる。図８は、高いピークを有さない相関データの一例を示す図である。図８に示す相関データには、２つの低い（例えば、相関値が０．６未満）ピークが、それぞれ時刻ｔ０及び時刻ｔ０−Ｔの位置に示されている。図８のように、相関データが高いピークを有さない場合、タイミング算出部５３は、自局と無線通信端末とが適切に同期されていないと判断する。このとき、タイミング算出部５３は、本来高いピークが生じるはずの時刻ｔ０から離れた時刻に生じる低いピークの位置によって、基地局と無線通信端末との間のタイミング遅延を算出することができる。即ち、図８の場合、時刻ｔ０−Ｔの位置に低いピークがあるため、タイミング算出部５３は、タイミング遅延はＴであり、無線通信端末が、理想タイミングより時間Ｔだけずれたタイミングでデータを送信していると判断することができる。基地局は、算出したタイミング遅延を無線通信端末に通知するため、無線通信端末は、受信したタイミング遅延に基づいて、自端末の送信タイミングを補正することができる。
【先行技術文献】
【特許文献】
【０００９】
【特許文献１】特開２０００−３４９７３６号公報
【発明の概要】
【発明が解決しようとする課題】
【００１０】
しかし、従来のタイミング推定方法は、伝播環境が弱電界における端末やセルエッジ近傍の端末からの通信、及びフェージング／マルチパス等が相関データに与える影響に対して、なんら対策を講じていない。
【００１１】
基地局と無線通信端末とが適切に同期されている場合であっても、フェージング等の影響によって、無線通信端末からの受信参照シンボルに歪みや位相遅れが生じ、受信参照シンボルと基地局が保持する理想参照シンボルとの相関データには、高いピークが存在しないことがある。例えば、基地局と無線通信端末とが適切に同期されている場合に、フェージング等の影響により相関データが図８のようになると、基地局と無線通信端末とが適切に同期されているにもかかわらず、基地局は、誤ってタイミング遅延（Ｔ）を算出し、当該タイミング遅延を無線通信端末に通知してしまう。無線通信端末は、受信したタイミング遅延に基づいて自端末の送信タイミングを補正するため、結果的に基地局と無線通信端末との同期が損なわれ、逆に基地局と無線通信端末とのタイミング遅延が拡大してしまうことになる。そのため、例えば基地局と無線通信端末とのタイミング遅延がガードインターバル長より長くなるなど、基地局においてシンボル間干渉が発生しやすくなり、基地局と各無線通信端末との通信が困難になる。
【００１２】
したがって、かかる点に鑑みてなされた本発明の目的は、誤ったタイミング遅延の算出を防ぐことが可能な、無線通信装置及びタイミング推定方法を提供することにある。
【課題を解決するための手段】
【００１３】
上述した諸課題を解決すべく、第１の発明による無線通信装置は、
通信相手とのタイミング推定を行うマルチキャリア無線通信方式に対応した無線通信装置であって、
前記通信相手から受信した参照シンボル、又は、前記参照シンボルをオフセットした参照シンボルのいずれか一方を選択する選択部と、
前記選択部が選択した参照シンボルと、前記受信した参照シンボルに関する既知情報との相関データを求める相関演算部と、
前記相関データのピークとピーク閾値とを比較する比較部と、
前記ピークに基づき、前記通信相手との同期状態からのタイミング差を算出するタイミング算出部と、を備え、
前記比較部は、前記ピークが前記ピーク閾値以下である場合に、前記選択部に参照シンボルの再選択を指示し、
前記選択部は、初回選択時には前記受信した参照シンボルを選択し、前記再選択時には、前記オフセットされた参照シンボルを選択し、
前記比較部は、再選択された参照シンボルに関する相関データのピークが前記ピーク閾値より高い場合に、前記タイミング算出部に前記タイミング差の算出を指示する、
無線通信装置である。
【００１４】
また、前記タイミング算出部は、前記再選択された参照シンボルに関する相関データのピークに基づくタイミング差が、タイミング閾値より高い場合に、前記選択部に参照シンボルの再選択を指示することが望ましい。
【００１５】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１６】
例えば、本発明を方法として実現させたタイミング推定方法は、
マルチキャリア無線通信方式に対応した通信相手とのタイミング推定方法であって、
前記通信相手から受信した参照シンボル、又は、前記参照シンボルをオフセットした参照シンボルのいずれか一方を選択する選択ステップと、
前記選択ステップにおいて選択された参照シンボルと、前記受信した参照シンボルに関する既知情報との相関データを求める相関演算ステップと、
前記相関データのピークとピーク閾値とを比較する比較ステップと、
前記ピークに基づき、前記通信相手との同期状態からのタイミング差を算出するタイミング算出ステップと、を有し、
前記比較ステップは、前記ピークが前記ピーク閾値以下である場合に、前記選択ステップによる参照シンボルの再選択を行うステップを含み、
前記選択ステップは、初回選択時には前記受信した参照シンボルを選択し、前記再選択時には、前記オフセットされた参照シンボルを選択し、
前記比較ステップは、再選択された参照シンボルに関する相関データのピークが前記ピーク閾値より高い場合に、前記タイミング算出ステップによる前記タイミング差の算出を行うステップを含む、タイミング推定方法である。
【００１７】
また、前記タイミング算出ステップは、前記再選択された参照シンボルに関する相関データのピークに基づくタイミング差が、タイミング閾値より高い場合に、前記選択ステップによる参照シンボルの再選択を行うステップを含む、ことが望ましい。
【発明の効果】
【００１８】
本発明によれば、相関データからピーク閾値よりも高いピークを検出するまで、受信参照シンボルをオフセットしながら、タイミング推定処理が継続されるため、誤ったタイミング遅延の算出を防ぐことが可能となる。
【図面の簡単な説明】
【００１９】
【図１】図１は本発明の一実施形態に係る基地局の概略構成を示す図である。
【図２】図２は図１に示す基地局のタイミング推定部の概略構成を示す図である。
【図３】図３は図１に示す基地局によるタイミング推定を示すフローチャートである。
【図４】受信参照シンボルと理想参照シンボルとの相関データの推移の一例を示す図である。
【図５】図５は従来の基地局のタイミング推定部の概略構成を示す図である。
【図６】図６は従来の基地局によるタイミング推定を示すフローチャートである。
【図７】図７は高いピークを有する相関データの一例を示す図である。
【図８】図８は高いピークを有さない相関データの一例を示す図である。
【発明を実施するための形態】
【００２０】
以降、諸図面を参照しながら、本発明の実施態様を詳細に説明する。
【００２１】
図１は、本発明の一実施形態に係る基地局（無線通信装置）の概略構成を示す図である。基地局１は、ＲＦ部１０と、ＡＤＣ（Analog Digital Converter）１１と、直交復調部１２と、フィルタ部１３と、ＧＩ（Guard Interval）削除部１４と、ＦＦＴ（Fast Fourier Transform）部１５と、イコライザー部１６と、復調部１７と、上位処理部１８と、タイミング推定部２０と、変調部３１と、ＩＦＦＴ（Inverse Fast Fourier Transform）部３２と、ＧＩ付加部３３と、フィルタ部３４と、直交変調部３５と、ＤＡＣ（Digital Analog Converter）３６と、を備える。
【００２２】
基地局１における受信系の動作では、まず、ＲＦ部１０はアンテナから受信したＲＦ信号をＩＦ信号に周波数変換する。ＡＤＣ１１はＲＦ部からのＩＦ信号をアナログ信号からデジタル信号に変換する。続いて、直交復調部１２は、ＡＤＣ１１からのデジタル信号をＩＱ（Inphase Quadrature）信号に分離し、フィルタ部１３は、当該ＩＱ信号をダウンコンバートするとともに、そのイメージをフィルタリングしてベースバンド信号を生成する。ＧＩ削除部１４は、ベースバンド信号から、通信相手である送信側の無線通信端末（図示せず）によって付加されているＧＩを削除し、ＧＩが除去されたベースバンド信号は、ＦＦＴ部１５によって時間領域のデータから周波数領域のデータに変換される。イコライザー部１６は、ＦＦＴ部１５から周波数領域のデータを受けると、伝播路の影響を補正するためにチャネル推定を行い、当該チャネル推定結果を用いた等化処理（イコライゼーション）を行う。そして、復調部１７は等化処理後のデータに対してデマッピング及び誤り訂正等を行い、復調したデータを上位処理部１８に入力する。
【００２３】
ここで、ＦＦＴ部１５は、周波数領域に変換したデータを、タイミング推定部２０にも入力する。タイミング推定部２０は、タイミング推定によって、基地局１と無線通信端末との間のタイミング遅延を算出し、当該タイミング遅延を上位処理部１８に入力する。なお、タイミング推定部２０によるタイミング推定の詳細は後述するものとする。
【００２４】
上位処理部１８は、タイミング推定部２０からタイミング遅延を受けると、当該タイミング遅延を通信相手である無線通信端末に通知するため、所定の制御情報を含んだダウンリンクフレームを生成する。
【００２５】
基地局１における送信系の動作では、変調部３１は上位処理部１８からのダウンリンクフレームを変調し、次いで、ＩＦＦＴ部３２は、変調されたデータを周波数領域のデータから時間領域のデータに変換する。ＧＩ付加部３３は、時間領域のデータに対してガードインターバルを付加し、ガードインターバルが付加された信号は、フィルタ部３４によるフィルタ処理、直交変調部３５によるＩＱ変調、ＤＡＣ３６によるデジタルアナログ変換を経て、ＲＦ部１０に入力される。ＲＦ部１０は、ＤＡＣ３６から受けた信号をＲＦ信号に変換し、アンテナを通じて無線通信端末にタイミング遅延を含むダウンリンクフレームを送信する。
【００２６】
図２は、基地局１のタイミング推定部２０の概略構成を示す図である。タイミング推定部２０は、バッファリング処理部２０１と、データオフセット部２０２と、選択部２０３と、ＩＦＦＴ部２０４と、相関演算部２０５と、ピーク検出部２０６と、比較部２０７と、オフセット算出部２０８と、タイミング算出部２０９と、を有する。ここで、タイミング推定部２０及び各機能部（２０１−２０９）は、ＣＰＵ（中央処理装置）等の任意の好適なプロセッサ上で実行されるソフトウェアとして構成したり、各処理に特化した専用のプロセッサ（例えばＤＳＰ（デジタルシグナルプロセッサ））によって構成することができる。
【００２７】
バッファリング処理部２０１は、ＦＦＴ部１５からの受信参照シンボルを図示しないバッファに保存する。データオフセット部２０２は、バッファリング処理部２０１が保存した受信参照シンボルをオフセット分ずらすというオフセット処理を行う。選択部２０３は、ＦＦＴ部１５からの受信参照シンボル又はデータオフセット部２０２によりオフセット処理された受信参照シンボルのいずれか一方を選択し、選択した参照シンボルと理想参照シンボルの複素共役との乗算を行って伝達関数を算出する。ＩＦＦＴ部２０４は、選択部２０３からの伝達関数を逆フーリエ変換して複素インパルス応答を求める。相関演算部２０５は、ＩＦＦＴ部２０４からの複素インパルス応答を二乗演算し、受信参照シンボルと理想参照シンボルとの相関を示す電力信号（相関データ）を生成する。ピーク検出部２０６は、相関演算部２０５からの相関データのピークを検出する。比較部２０７は、ピーク検出部２０６により検出されたピークと、所定の閾値（ピーク閾値）とを比較する。オフセット算出部２０８は、比較部２０７が、ピーク検出部２０６により検出されたピークがピーク閾値以下であると判定した場合、当該ピークに対するタイミング遅延をオフセットとして算出する。タイミング算出部２０９は、比較部２０７が、ピーク検出部２０６により検出されたピークがピーク閾値より高いと判定した場合、当該ピークから基地局１と無線通信端末との間のタイミング遅延を算出する。
【００２８】
上記の通り、タイミング推定部２０は、相関データからピーク閾値よりも高いピークを検出するまで、即ち、正しいピークである確率が高いピークが検出されるまで、受信参照シンボルをオフセットしながら、タイミング推定処理を継続する。
【００２９】
図３及び図４を参照してタイミング推定部による処理の流れを説明する。図３は、タイミング推定部２０によるタイミング推定を示すフローチャートであり、図４は、受信参照シンボルと理想参照シンボルとの相関データの推移の一例を示す図である。なお、図４は、参照シンボルがＴＣＣＨによるものである場合の相関データを示すものである。ＴＣＣＨでは、参照シンボルが３シンボルまとめて無線通信装置から基地局１に送信されるため、図４は、当該３つの参照シンボルそれぞれに対する相関データを示している。
【００３０】
（１回目の処理）
ＦＦＴ部１５からタイミング推定部２０に受信参照シンボルが入力されると、バッファリング処理部２０１は、当該受信参照シンボルを図示しないバッファに保存する（ステップＳ１０１）。１回目の処理の場合、選択部２０３は、データオフセット部２０２からのオフセットされた受信参照シンボルではなく、ＦＦＴ部１５からの受信参照シンボルを選択して理想参照シンボルの複素共役との乗算を行い、乗算した結果をＩＦＦＴ部２０４に入力する（ステップＳ１０２）。ＩＦＦＴ部２０４は、選択部２０３からの乗算結果を逆フーリエ変換し、複素インパルス応答を求め、当該複素インパルス応答を相関演算部２０５に入力する（ステップＳ１０３）。相関演算部２０５は、ＩＦＦＴ部２０４からの複素インパルス応答を二乗演算し、受信参照シンボルと理想参照シンボルとの相関値を示す電力信号（相関データ）を生成し、当該相関データをピーク検出部２０６に入力する（ステップＳ１０４）。ピーク検出部２０６は、相関演算部２０５からの相関データのピークを検出する（ステップＳ１０５）。
【００３１】
図４（ａ）は、１回目の処理の際の相関データを示すものである。図４（ａ）に示すとおり、１回目の処理ではピーク検出部が検出したピークはピーク閾値よりも低い。そのため、比較部２０７は、ピーク検出部２０６により検出されたピークがピーク閾値以下である（即ち、検出されたピークが誤検出である可能性が高い）と判定し、処理回数が所定の設定値（繰返回数）以下の場合には、その判定結果をオフセット算出部２０８に通知する（ステップＳ１０６、Ｓ１０７）。オフセット算出部２０８は、比較部２０７から通知を受けると、現在のピークに対するタイミング遅延をオフセットとして算出し、当該オフセットをデータオフセット部２０２に通知する（ステップＳ１０８）。この場合、理想的なピークは各軸Ａ〜Ｃにおいて生じるものとし、図４（ａ）においては、軸Ａからのタイミング遅延Ｔ１がオフセットとして算出されることになる。
【００３２】
（２回目の処理）
２回目の処理の場合、選択部２０３は、再選択の処理として、データオフセット部２０２を通じて時間Ｔ１分オフセットされた受信参照シンボルを選択して読み出し、当該受信参照シンボルと理想参照シンボルの複素共役との乗算を行う（ステップＳ１０２、Ｓ１０９）。ステップＳ１０３〜Ｓ１０５は、１回目の処理と同等である。
【００３３】
図４（ｂ）は、２回目の処理の際の相関データを示すものである。図４（ｂ）に示すとおり、２回目の処理でも、ピーク検出部が検出したピークはまだピーク閾値よりも低い。そのため、ステップＳ１０６〜Ｓ１０８の処理が、１回目と同様に行われる。なお、図４（ｂ）においては、軸Ｂからのタイミング遅延Ｔ２がオフセットとして算出される。
【００３４】
（３回目の処理）
３回目の処理の場合、選択部２０３は、再選択の処理として、データオフセット部２０２を通じて時間Ｔ１＋Ｔ２分オフセットされた受信参照シンボルを選択して読み出し、当該受信参照シンボルと理想参照シンボルの複素共役との乗算を行う（ステップＳ１０２、Ｓ１０９）。ステップＳ１０３〜Ｓ１０５は、１回目及び２回目の処理と同等である。
【００３５】
図４（ｃ）は、３回目の処理の際の相関データを示すものである。図４（ｃ）に示すとおり、３回目の処理ではピーク検出部が検出したピークはピーク閾値よりも高い。そのため、比較部２０７は、ピーク検出部２０６により検出されたピークがピーク閾値より高い（即ち、検出されたピークが正しいものである可能性が高い）と判定し、その判定結果をタイミング算出部２０７に通知する（ステップＳ１０６）。タイミング算出部２０９は、比較部２０７から通知を受けると、現在のピークに対するタイミング遅延を算出する。このとき、タイミング算出部２０９は、算出されたタイミング遅延と所定の閾値（タイミング閾値）との比較を行う（ステップＳ１１０）。図４（ｃ）の場合、３回目のピークは軸Ｂとほぼ一致しているため、タイミング算出部２０９が算出したタイミング遅延は、タイミング閾値未満のほぼゼロとなる。この場合、タイミング算出部２０９は、３回目に算出したタイミング遅延と、過去に算出したタイミング遅延Ｔ１及びＴ２とを合計し、基地局１と無線通信端末との間のタイミング遅延として算出する（ステップＳ１１２）。
【００３６】
なお、ステップＳ１１０において、タイミング算出部２０９により算出されたタイミング遅延がタイミング閾値以上であると判定された場合は、本来高いピークが生じるはずの時刻から離れた時刻にピークが生じていることになる。即ち、タイミング算出部２０９は、当該ピークが誤って検出されたものであると判断するため、ステップＳ１０６〜Ｓ１０８の処理が繰り返されることになる。
【００３７】
また、ステップＳ１０７において、所定の設定値（繰返回数）を超えた場合には、タイミング算出部は、その時点での最大のピークに対するタイミング遅延を算出し（ステップＳ１１）、当該算出したタイミング遅延と、過去に算出したタイミング遅延とを合計し、基地局１と無線通信端末との間のタイミング遅延として算出する（ステップＳ１１２）。
【００３８】
このように、本実施形態によると、基地局は、相関データから高いピークを検出するまで、受信参照シンボルをオフセットしながら、タイミング推定処理を継続するため、受信感度が悪い状況でも、正しいタイミング遅延を精度よく検出する可能性が高まり、誤ったタイミング遅延の算出を防ぐことができる。また、基地局は、検出した高いピークが本来高いピークが生じるはずの時刻から離れている場合には、タイミング推定処理を継続するため、誤ったタイミング遅延の算出を防ぐことができる。即ち、基地局は、シンボル間干渉などの発生を防止し、良好な受信状況を確保することができる。また、例えば、ＴＣＣＨによる参照シンボルを用いる場合、基地局と無線通信端末間の通信開始時の接続性を向上させることができ、ＡＮＣＨによる参照シンボルを用いる場合、通信継続中のシンボル干渉の発生を防止することができる。
【００３９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【符号の説明】
【００４０】
１  基地局（無線通信装置）
１０  ＲＦ部
１１  ＡＤＣ
１２  直交復調部
１３、３４  フィルタ部
１４  ＧＩ削除部
１５  ＦＦＴ部
１６  イコライザー部
１７  復調部
１８  上位処理部
２０  タイミング推定部
３１  変調部
３２  ＩＦＦＴ部
３３  ＧＩ付加部
３５  直交変調部
３６  ＤＡＣ
２０１  バッファリング処理部
２０２  データオフセット部
２０３  選択部
２０４  ＩＦＦＴ部
２０５  相関演算部
２０６  ピーク検出部
２０７  比較部
２０８  オフセット算出部
２０９  タイミング算出部
【図１】
2010278663.tif 000003
【図２】
2010278663.tif 000004
【図３】
2010278663.tif 000005
【図４】
2010278663.tif 000006
【図５】
2010278663.tif 000007
【図６】
2010278663.tif 000008
【図７】
2010278663.tif 000009
【図８】
2010278663.tif 000010